【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
光学部品の骨格構造部を形成する第１の工程と、
前記骨格構造部に対して、所定の光学特性を有する光学特性部を結合させる第２の工程と、
を備えた光学部品の製造方法。
【請求項２】
請求項１に記載の光学部品の製造方法において、前記骨格構造部は金属材料から形成される光学部品の製造方法。
【請求項３】
請求項１又は２に記載の光学部品の製造方法において、前記骨格構造部は、格子を含む光学部品の製造方法。
【請求項４】
請求項３に記載の光学部品の製造方法において、前記格子は、規則的に配置された菱形形状あるいは三角形状の開口部を有する光学部品の製造方法。
【請求項５】
請求項３又は４に記載の光学部品の製造方法において、前記骨格構造部は、前記光学特性部と結合する面に複数のアンカー形状を有する光学部品の製造方法。
【請求項６】
請求項１から５のいずれか１項に記載の光学部品の製造方法において、前記第１の工程で、３Ｄプリンタにより前記骨格構造部を造形する光学部品の製造方法。
【請求項７】
請求項２から５いずれか１項に記載の光学部品の製造方法において、前記第１の工程で、鋳造、あるいはさらに鋳造後の後加工によって前記骨格構造部を造形する光学部品の製造方法。
【請求項８】
請求項１から７のいずれか１項に記載の光学部品の製造方法において、前記第２の工程において、前記骨格構造部の一部が前記光学特性部に埋設されるよう前記光学特性部の樹脂材料のインサート成形を行う光学部品の製造方法。
【請求項９】
請求項１から８のいずれか１項に記載の光学部品の製造方法において、前記光学特性部の前記所定の光学特性が遮光性である光学部品の製造方法。
【請求項１０】
請求項９に記載の光学部品の製造方法において、前記第２の工程のインサート成形、または、その後加工によって、前記光学特性部に反射防止面を形成する光学部品の製造方法。
【請求項１１】
請求項６に記載の３Ｄプリンタによって前記骨格構造部を造形するための３Ｄプリントデータ。
【請求項１２】
請求項１１に記載の３Ｄプリントデータを格納したコンピュータ読み取り可能な記録媒体。
【請求項１３】
骨格構造部と、
樹脂材料から成り所定の光学特性を有する光学特性部と、を備え、
前記骨格構造部は、格子を含む光学部品。
【請求項１４】
請求項１３に記載の光学部品において、前記格子は、規則的に配置された菱形形状あるいは三角形状の開口部を有する光学部品。
【請求項１５】
請求項１４に記載の光学部品において、前記骨格構造部は金属材料から構成され、前記光学特性部の前記所定の光学特性は遮光性である光学部品。
【請求項１６】
請求項１５に記載の光学部品において、前記光学特性部に反射防止面が形成されている光学部品。
【請求項１７】
請求項１４から１６のいずれか１項に記載の光学部品において、前記骨格構造部の一部に前記光学特性部を構成する前記樹脂材料が嵌合して前記骨格構造部が光学部品の表面に露出している光学部品。
【請求項１８】
請求項１４から１７のいずれか１項に記載の光学部品において、前記骨格構造部の一部が前記光学特性部の表面より内側に埋設されている光学部品。
【請求項１９】
請求項１４から１８のいずれか１項に記載の光学部品において、前記骨格構造部は、前記光学特性部と結合する面に複数のアンカー形状を有する光学部品。
【請求項２０】
請求項１４から１９のいずれか１項に記載の光学部品を備えた光学機器。
【請求項２１】
光学素子と、
規則的に配置された複数の格子を有する骨格構造部と、
遮光性を有する樹脂材料から形成され、前記骨格構造部に対して前記格子を介して結合した光学特性部と、
を備え、前記骨格構造部と、前記光学特性部と、が結合されて成る構造体によって前記光学素子を支持する鏡筒。
【請求項２２】
請求項２１に記載の鏡筒において、前記格子は、円筒状の金属材料から構成されると共に、前記骨格構造部が形成する円筒面においてその軸芯と平行な直線に対して傾斜して複数、配置されている鏡筒。
【請求項２３】
請求項２２に記載の鏡筒において、前記格子が前記円筒面において前記軸芯と平行な直線に対して傾斜する傾斜角度が５０°以下である鏡筒。
【請求項２４】
請求項２１から２３のいずれか１項に記載の鏡筒において、前記骨格構造部は、前記光学特性部よりも剛性の高い材料により形成され、前記骨格構造部の一部が、前記構造体の表面に露出し、他の部品に対する当接部または結合部として用いられる鏡筒。
【請求項２５】
請求項２１から２４のいずれか１項に記載の鏡筒において、前記格子に前記光学特性部を構成する前記樹脂材料が嵌合して、前記骨格構造部が前記構造体の表面に露出している鏡筒。
【請求項２６】
請求項２１から２５のいずれか１項に記載の鏡筒において、前記光学特性部の内面に反射防止面を備えた鏡筒。
【請求項２７】
請求項２１から２６のいずれか１項に記載の鏡筒を備えた光学機器。
【請求項２８】
立体格子構造によって規則的に画成された複数の格子を有する骨格構造部と、
遮光性を有する樹脂材料から形成され、前記骨格構造部に対して前記格子を介して結合した光学特性部と、
を備え、前記骨格構造部と、前記光学特性部と、が結合されて成る構造体によって光学素子を支持する光学素子ホルダ。
【請求項２９】
請求項２８に記載の光学素子ホルダにおいて、前記構造体の１面に対して傾斜して配置された格子が前記の１面に垂直な直線に対して傾斜する傾斜角度が５０°以下である光学素子ホルダ。
【請求項３０】
請求項２８または２９に記載の光学素子ホルダにおいて、前記骨格構造部は、前記光学特性部よりも剛性の高い材料により形成され、前記骨格構造部の一部が、前記構造体の表面に露出し、他の部品に対する当接部または結合部として用いられる光学素子ホルダ。
【請求項３１】
請求項２８から３０のいずれか１項に記載の光学素子ホルダにおいて、金属材料から成る前記骨格構造部の立体格子構造が前記構造体に埋設されている光学素子ホルダ。
【請求項３２】
請求項２８から３１のいずれか１項に記載の光学素子ホルダにおいて、前記光学特性部の内面に反射防止面を備えた光学素子ホルダ。
【請求項３３】
請求項２８から３２のいずれか１項に記載の光学素子ホルダの前記構造体によって支持される光学素子がミラーである光学素子ホルダ。
【請求項３４】
請求項２８から３３のいずれか１項に記載の光学素子ホルダを備えた光学機器。
【請求項３５】
請求項２１から２６のいずれか１項に記載の鏡筒において、前記骨格構造部が、他の部品に対する当接部を備え、前記当接部が第１の金属材料から成る部位を含み、前記当接部を除く前記骨格構造部の骨格部が第２の金属材料から成る部位を含む鏡筒。
【請求項３６】
請求項３５に記載の鏡筒において、前記当接部と、前記骨格部と、が別体部材であり、前記当接部と、前記骨格部と、が前記光学特性部によって結合される鏡筒。
【請求項３７】
請求項３５または３６に記載の鏡筒において、前記第１の金属材料がアルミニウム合金である鏡筒。
【請求項３８】
請求項３５から３７のいずれか１項に記載の鏡筒において、前記第２の金属材料がマグネシウム合金である鏡筒。
【請求項３９】
請求項３８に記載の鏡筒において、前記第２の金属材料がリチウムマグネシウム合金である鏡筒。
【請求項４０】
他の部材と当接する当接部を有する構造体を具備する鏡筒であって、
前記構造体は、マグネシウム合金を含み、
前記当接部は、アルミニウム合金からなる鏡筒。
【請求項４１】
請求項４０に記載の鏡筒において、
前記マグネシウム合金はリチウムマグネシウム合金である。
【請求項４２】
他の部材と当接する当接部を有する構造体を具備する光学素子ホルダであって、
前記構造体は、マグネシウム合金を含み、
前記当接部は、アルミニウム合金からなる光学素子ホルダ。
【請求項４３】
請求項４２に記載の光学素子ホルダにおいて、前記マグネシウム合金はリチウムマグネシウム合金である光学素子ホルダ。
【請求項４４】
請求項４２または４３に記載の光学素子ホルダを有する光学機器。
【手続補正２】
【補正対象書類名】明細書
【補正対象項目名】０００９
【補正方法】変更
【補正の内容】
【０００９】
本発明の一態様は、光学部品の骨格構造部を形成する第１の工程と、前記骨格構造部に対して、所定の光学特性を有する光学特性部を結合させる第２の工程と、を備えた光学部品の製造方法である。
また、本発明の一態様は、骨格構造部と、樹脂材料から成り所定の光学特性を有する光学特性部と、を備え、前記骨格構造部は、格子を含む光学部品である。
更に、本発明の一態様は、光学素子と、規則的に配置された複数の格子を有する骨格構造部と、遮光性を有する樹脂材料から形成され、前記骨格構造部に対して前記格子を介して結合した光学特性部と、を備え、前記骨格構造部と、前記光学特性部と、が結合されて成る構造体によって前記光学素子を支持する鏡筒である。
また、本発明の一態様は、立体格子構造によって規則的に画成された複数の格子を有する骨格構造部と、遮光性を有する樹脂材料から形成され、前記骨格構造部に対して前記格子を介して結合した光学特性部と、を備え、前記骨格構造部と、前記光学特性部と、が結合されて成る構造体によって光学素子を支持する光学素子ホルダである。
また、本発明の一態様は、他の部材と当接する当接部を有する構造体を具備する鏡筒であって、前記構造体は、マグネシウム合金を含み、前記当接部は、アルミニウム合金からなる鏡筒である。
更に、本発明の一態様は、他の部材と当接する当接部を有する構造体を具備する光学素子ホルダであって、前記構造体は、マグネシウム合金を含み、前記当接部は、アルミニウム合金からなる光学素子ホルダである。